(57)【要約】      （修正有）【課題】簡単に且つ簡単な形式で接着・結合剤の硬化時間を短縮し、これにより比較的早期に完全に負荷をかけることができる固定エレメントを提供する。【解決手段】タオルホルダ、棚、照明等の装備品といった物体を、壁、天井等の面、例えばタイル、大理石板等を有する壁張りを備えたスペースに定常的に取り付ける固定エレメントであって、固定エレメントはベースボディ１を有しており、ベースボディは物体を保持するエレメントを収容するために形成されており、ベースボディは硬化可能な接着・結合剤によって壁に固定可能である、物体を壁に定常的に取り付ける固定エレメントにおいて、ベースボディ１は少なくとも部分的に水受けとして形成されているか、又は水受けはベースボディ内に収容可能であり、硬化のために前記接着・結合剤は前記水受けから湿分を獲得することができ、硬化プロセスは促進可能であるようにする。【選択図】図３
2010043739.tif 000002
【特許請求の範囲】
【請求項１】
タオルホルダ、棚、照明等の装備品といった物体を、壁、天井等の面に、例えばタイル、大理石板等を有する壁張りを備えたスペースに定常的に取り付ける固定エレメントであって、固定エレメントはベースボディ（１）を有しており、該ベースボディ（１）は物体を保持するエレメントを収容するために形成されており、ベースボディ（１）は硬化可能な接着・結合剤によって壁に固定可能である、物体を壁に定常的に取り付ける固定エレメントにおいて、
ベースボディ（１）は少なくとも部分的に水受けとして形成されているか、又は前記水受けはベースボディ（１）内に収容可能であり、硬化のために前記接着・結合剤は前記水受けから湿分を獲得することができ、その結果、硬化プロセスは促進可能であることを特徴とする、物体を壁に定常的に取り付ける固定エレメント。
【請求項２】
前記水受けは機械的な水受けとして、１つ又は複数の水で満たされた中空室を備えて形成されている、請求項１記載の固定エレメント。
【請求項３】
前記水受けは化学的な水受けとして形成されており、前記化学的な水受け内に化学的に結合した水がある、請求項１記載の固定エレメント。
【請求項４】
前記水受けは物理的な水受けとして形成されており、前記物理的な水受け内に物理的に結合した水がある、請求項１記載の固定エレメント。
【請求項５】
前記水受けはベースボディ（１）の材料から形成される、請求項１から４までのいずれか一項記載の固定エレメント。
【請求項６】
前記水受けは別体の水受け挿入体（６）から形成され、該水受け挿入体（６）はベースボディ（１）内に挿入可能か、又はベースボディ（１）に着接可能である、請求項１から４までのいずれか一項記載の固定エレメント。
【請求項７】
ベースボディ（１）又は水受け挿入体（６）の材料は、天然の鉱物性の充填剤及び合成樹脂から成る複合材料から成っており、鉱物性の充填剤は約５から約８５重量％の割合で複合材料に含有されている、請求項４に関連した請求項５又は６記載の固定エレメント。
【請求項８】
タオルホルダ、棚、照明等の装備品といった物体を、壁、天井等の面に、例えばタイル、大理石板等を有する壁張りを備えたスペースに定常的に取り付ける組付け機構であって、固定エレメントと硬化可能な接着・結合剤とを有している、物体を壁に定常的に取り付ける組付け機構において、
前記固定エレメントが、請求項１から７までのいずれか一項記載の固定エレメントであることを特徴とする、物体を壁に定常的に取り付ける組付け機構。
【請求項９】
前記接着・結合剤は、ポリウレタン系、イソシアンネート系又はシアンアクリレート系の接着・結合剤、シリコーンシール剤又はＭＳポリマから成るグループから選択されている、請求項８記載の組付け機構。
【請求項１０】
接着・結合剤を硬化する方法であって、該方法によって、タオルホルダ、棚、照明等の装備品といった物体を、壁、天井等の面に、例えばタイル、大理石板等を有する壁張りを備えたスペースに定常的に取り付ける、ベースボディ（１）を有する固定エレメントを壁に固定し、ベースボディ（１）は前記物体を保持するエレメントを収容するために形成されている、壁に固定エレメントを固定する接着・結合剤を硬化させる方法において、
硬化に必要な湿分を、ベースボディ（１）によって形成されるか又はベースボディ（１）内に収容されている水受けから接着・結合剤に提供することを特徴とする、接着・結合剤を硬化する方法。
【請求項１１】
接着・結合剤に機械的な水受けから湿分を提供し、前記機械的な水受けは水で満たされた１つ又は複数の中空室を有している、請求項１０記載の方法。
【請求項１２】
接着・結合剤に化学的な水受けから湿分を提供し、前記化学的な水受け内に化学的に結合した水がある、請求項１０記載の方法。
【請求項１３】
接着・結合剤に物理的な水受けから湿分を提供し、前記物理的な水受け内に物理的に結合した水がある、請求項１０記載の方法。
【請求項１４】
ベースボディ（１）の材料又は水受けを形成する水受け挿入体（６）の材料は、天然の鉱物性の充填剤及び合成樹脂から成る複合材料から成っており、鉱物性の充填剤は約５から８５重量％の割合で複合材料に含有されている、請求項１３記載の方法。
【請求項１５】
前記接着・結合剤は、ポリウレタン系、イソシアネート系又はシアンアクリレート系の接着・結合剤、シリコーンシール剤又はＭＳポリマから成るグループから選択されている、請求項１１から１４までのいずれか一項記載の方法。
【発明の詳細な説明】
【技術分野】
【０００１】
本発明は、タオルホルダ、棚、照明等の装備品といった物体を、壁、天井等の面に、例えばタイル、大理石板等を有する壁張りを備えたスペースに定常的に取り付ける固定エレメントに関する。更に本発明は、タオルホルダ、棚、照明等の装備品といった物体を、壁、天井等の面に、例えばタイル、大理石板等を有する壁張りを備えたスペースに定常的に取り付ける組付け機構、及びタオルホルダ、棚、照明等の装備品といった物体を、壁、天井等の面に、例えばタイル、大理石板等を有する壁張りを備えたスペースに定常的に取り付ける、ベースボディを有する固定エレメントを壁に固定し、ベースボディは前記物体を保持するエレメントを収容するために形成されている、壁に固定エレメントを固定する接着・結合剤を硬化させる方法に関する。
【背景技術】
【０００２】
ＷＯ０３／０３６１０６Ａ１において、冒頭で述べた形式の固定エレメントが既に公知になっている。公知の固定エレメントは、硬化可能な接着・結合剤によって壁に固定可能であるベースボディを有している。接着・結合剤は、通常、周辺条件に基づいて硬化する固着剤である。固着剤は硬化するまで最大１２時間以上必要である。それに応じて、公知の固定エレメントに完全に負荷をかけることができるまでには長い間かかる。
【先行技術文献】
【特許文献】
【０００３】
【特許文献１】ＷＯ０３／０３６１０６Ａ１
【発明の概要】
【発明が解決しようとする課題】
【０００４】
従って本発明の課題は、タオルホルダ、棚、照明等の装備品といった物体を、壁、天井等の面、例えばタイル、大理石板等を有する壁張りを備えたスペースに定常的に取り付ける固定エレメントであって、固定エレメントはベースボディを有しており、ベースボディは物体を保持するエレメントを収容するために形成されており、ベースボディは硬化可能な接着・結合剤によって壁に固定可能である、物体を壁に定常的に取り付ける固定エレメントを改良して、簡単に且つ簡単な形式で接着・結合剤の硬化時間を短縮し、これにより比較的早期に完全に負荷をかけることができる固定エレメントを提供することである。
【課題を解決するための手段】
【０００５】
上記課題を解決する本発明に係る固定エレメントは、タオルホルダ、棚、照明等の装備品といった物体を、壁、天井等の面、例えばタイル、大理石板等を有する壁張りを備えたスペースに定常的に取り付ける固定エレメントであって、固定エレメントはベースボディを有しており、該ベースボディは物体を保持するエレメントを収容するために形成されており、ベースボディは硬化可能な接着・結合剤によって壁に固定可能である、物体を壁に定常的に取り付ける固定エレメントにおいて、ベースボディは少なくとも部分的に水受けとして形成されているか、又は前記水受けはベースボディ内に収容可能であり、硬化のために前記接着・結合剤は前記水受けから湿分を獲得することができ、その結果、硬化プロセスは促進可能であることを特徴とする。
【０００６】
好ましくは、水受けは機械的な水受けとして、１つ又は複数の水で満たされた中空室を備えて形成されている。
【０００７】
好ましくは、水受けは化学的な水受けとして形成されており、前記化学的な水受け内に化学的に結合した水がある。
【０００８】
好ましくは、水受けは物理的な水受けとして形成されており、前記物理的な水受け内に物理的に結合した水がある。
【０００９】
好ましくは、水受けはベースボディの材料によって形成される。
【００１０】
好ましくは、水受けは別体の水受け挿入体によって形成され、該水受け挿入体はベースボディ内に挿入可能か、又はベースボディに着接可能である。
【００１１】
好ましくは、ベースボディ又は水受け挿入体の材料は、天然の鉱物性の充填剤及び合成樹脂から成る複合材料から成っており、鉱物性の充填剤は約５から約８５重量％の割合で複合材料に含有されている。
【００１２】
また、上記課題を解決する本発明に係る組付け機構は、タオルホルダ、棚、照明等の装備品といった物体を、壁、天井等の面、例えばタイル、大理石板等を有する壁張りを備えたスペースに定常的に取り付ける組付け機構であって、固定エレメントと硬化可能な接着・結合剤とを有している、物体を壁に定常的に取り付ける組付け機構において、前記固定エレメントが前記固定エレメントであることを特徴とする。
【００１３】
好ましくは、接着・結合剤は、ポリウレタン系、イソシアンネート系又はシアンアクリレート系の接着・結合剤、シリコーンシール剤又はＭＳポリマから成るグループから選択されている。
【００１４】
また、上記課題を解決する本発明に係る接着・結合剤を硬化させる方法は、接着・結合剤を硬化する方法であって、該方法によって、タオルホルダ、棚、照明等の装備品といった物体を、壁、天井等の面、例えばタイル、大理石板等を有する壁張りを備えたスペースに定常的に取り付ける、ベースボディを有する固定エレメントを壁に取り付け、ベースボディは物体を保持するエレメントを収容するために形成されており、硬化に必要な湿分を、ベースボディによって形成されるか又はベースボディ内に収容されている水受けから接着・結合剤に提供することを特徴とする。
【００１５】
好ましくは、接着・結合剤に機械的な水受けから湿分を提供し、前記機械的な水受けは水で満たされた１つ又は複数の中空室を有している。
【００１６】
好ましくは、接着・結合剤に化学的な水受けから湿分を提供し、前記化学的な水受け内に化学的に結合した水がある。
【００１７】
好ましくは、接着・結合剤に物理的な水受けから湿分を提供し、前記物理的な水受け内に物理的に結合した水がある。
【００１８】
好ましくは、ベースボディの材料又は水受けを形成する水受け挿入体の材料は、天然の鉱物性の充填剤及び合成樹脂から成る複合材料から成っており、鉱物性の充填剤は約５から８５重量％の割合で複合材料に含有されている。
【００１９】
好ましくは、接着・結合剤は、ポリウレタン系、イソシアネート系又はシアンアクリレート系の接着・結合剤、シリコーンシール剤又はＭＳポリマから成るグループから選択されている。
【発明の効果】
【００２０】
本発明の根底には、使用される接着・結合剤は硬化のために、湿分を必要とする、という認識がある。硬化プロセス中に接着・結合剤は湿分を吸収する。先行技術では、接着・結合剤は周辺空気から湿分を得ていた。接着・結合剤の組成及び周辺空気における湿度の高さに基づき、硬化は多かれ少なかれゆっくりと行われる。
【００２１】
本発明によれば、硬化可能な接着・結合剤に水受けを提供することが提案されている。水受けは固定エレメントのベースボディ内又はベースボディに配置されている。有利には、これによりは接着・結合剤に周辺空気だけからの湿分よりも多くの湿分を提供する一方で、付加的な水貯め等を使用せずに、付加的な湿分を提供することができるようになる。なぜならばいずれにしても設けられている固定エレメントのベースボディは、水受けを形成するか、又は水受けはベースボディ内又はベースボディに収容することができるからである。接着・結合剤は水受けからの湿分を吸収するので、通常は、専ら周辺空気からの湿分吸収の場合よりも迅速に硬化する。
【００２２】
水受けは、例えば機械的な水受けであってよい。機械的な水受けはベースボディ内に形成された、水で充填されている１つ又は複数の中空室を有している。接着・結合剤と中空室内に含まれている水との接触は、この種の水受けの形式では、複数の通路が中空室から接着・結合剤への、蒸発する水の搬送のために働くことによりもたらされる。
【００２３】
流体含有物は機械的な水受けとして働くこともできる。この場合、水はベースボディの製造時にベースボディの中空室内に閉じ込められる水である。
【００２４】
択一的には、水受けは化学的な水受けとして形成されていてよい。この場合、固定エレメントのベースボディの材料内には化学的に結合した水がある。化学的に結合した水をベースボディとの接触時に接着・結合剤が吸収する。化学的に結合した水はこの関係においては結晶水と理解でき、また化学的な吸着（化学吸着）により吸着された水と理解することができる。結晶水はベースボディの化学構造体内に組み込まれている。化学吸着は一般的に、水といった流体の固体の表面への付加であり、この付加は化学的な結合力と同じである。化学吸着においては表面に対する結合が形成されている。
【００２５】
更に別の構成では、水受けは物理的な水受けとして形成されている。この構成においては、固定エレメントのベースボディ材料内に物理的に結合した水がある。物理的に結合した水は、ベースボディとの接触時に接着・結合剤によって吸収される。物理的に結合した水とは、この関係においては、化学的に結合されているのではなく、ファン・デル・ヴァールス力のような結合力を介して、ベースボディの表面に接着し、簡単に再び脱離することができる（物理吸着）、いわゆる自由水と理解できる。これに関しては、イオンによる力によってベースボディの表面に接着する水と、分子的な引き付けによりベースボディの多孔性の表面に接着する水と、表面張力によりベースボディの毛管、割目、細孔等に保持される水とが挙げられる。
【００２６】
表面として、ベースボディの外側の表面だけではなく、毛管、細孔、割目等によりベースボディに形成される内側の表面も考慮することができる。毛管、細孔、割目等は、以下では簡単にキャビティと記載する。
【００２７】
固定エレメントの別の有利な構成は、ベースボディ全体は連続気泡の材料から成る。これによりベースボディの表面は増し、極めて高い水吸着を可能にする。
【００２８】
硬化時間の短縮を考慮した特に有利な効果は、物理的な水受けの場合には、ベースボディの材料が吸水性の材料、有利にはポリアミド、合成樹脂圧縮材、更に有利にはポリマ結合した鉱物材料、いわゆる天然鉱物性の充填材及びマトリックスである合成樹脂から成る複合材料から選択されていると達成される。充填材は、例えば三水酸化アルミニウムである。三水酸化アルミニウムは約５〜約８５重量％、有利には５０〜８５重量％、更に有利には７０〜８５重量％の割合で複合材料内に含まれていて、合成樹脂は、例えばアクリレートポリマであり、接着・結合剤は湿分硬化性、もしくは湿分架橋性の接着・結合剤であり、有利には接着・結合剤はポリウレタン系、イソシアネート系又はシアンアクリレート系の接着・結合剤、シリコーンシール剤又はＭＳポリマ（変性されたシランをベースにしたポリマ）、更に有利にはシリコーンシール剤である。極めて有利には、高粘着性で、安定性のある、シラン変性されたポリマをベースにした一成分系接着剤である。一成分系接着剤は空気湿分により弾性的な製品に架橋する。
【００２９】
本発明によれば、水受けはベースボディ自体の材料の少なくとも一部分領域によって形成されるか、又はベースボディとは別体の水受け挿入体の形式で存在する。水受け挿入体はベースボディ内に挿入できるか、又はベースボディに着接できる。水受け挿入体は、化学的又は物理的な水受けを形成する材料組成が、ベースボディの特性に課される要求を満たさない特性を有していると特に有利である。例えば、規定された材料組成が化学的又は物理的な貯水体として最適な特性を有しているものの、求められる保持力を考慮して固定エレメントのベースボディによって要求される機械的な強度を保証しない、ということも考慮可能である。
【図面の簡単な説明】
【００３０】
【図１】本発明に係る固定エレメントの第１の実施の形態のベースボディの断面図である。
【図２】図１記載のベースボディの平面図である。
【図３】本発明に係る固定エレメントの第２の実施の形態のベースボディの断面図である。
【図４】図３記載のベースボディの平面図である。
【発明を実施するための形態】
【００３１】
以下に、本発明の実施の形態を図面を参照しながら詳細に説明する。
【００３２】
図１，２には、本発明に係る固定エレメントの第１の実施の形態が記載されている。本発明に係る固定エレメントは、円形のベースボディ１から成っている。ベースボディ１は硬化可能な接着・結合剤を注入するために中央の注入開口２を有している。択一的な実施の形態では、注入開口は中央に配置されておらず、充填度に合わせて最適化することができる。接着・結合剤は、図１のベースボディ１の下側に配置されている切欠き４に達する。図１の下方に位置するベースボディ１の背面３で、ベースボディ１は壁に取り付けられる、有利には貼り付けられる。ベースボディ１の外周面には、ねじ山が備え付けられている。ねじ山に、例えばＷＯ０３／０３６１０６Ａ１の図１３〜１５に記載された閉鎖エレメントを螺合することができる。ＷＯ０３／０３６１０６Ａ１の図１３記載の閉鎖エレメントに、壁に保持したい物体を収容するためのエレメントが設けられている。
【００３３】
別の実施の形態ではベースボディは円形の構成の他に、別の幾何学的な形状を有していてもよく、注入開口はベースボディの別の個所に設けられていてもよい。
【００３４】
上記実施の形態とは異なる別の択一的な実施の形態も考慮可能である。例えば、以下の形態である。
【００３５】
（ｉ）ベースボディ内に圧入されるピンを備えた固定エレメント：この形態では、ベースボディの孔に、取り付けたい部品／アクセサリの収容のために働く雄ねじ山を備えたピン又は凹凸のないピンが圧入される。
【００３６】
（ｉｉ）ベースボディ内に圧入されるインサートを備えた固定エレメント：この形態では、ベースボディの孔に、取り付けたい部品／アクセサリの収容のために働く雌ねじ山を備えたインサートが圧入される。
【００３７】
（ｉｉｉ）収容リングを備えた固定エレメント：この形態では、Ｚａｍａｋ（亜鉛−アルミニウム−マグネシウム合金）から成る収容リングがベースボディ（例えば焼結金属ディスク）にリベット留めされている。
【００３８】
（ｉｖ）雌ねじ山を備えた固定エレメント：この形態では、ねじ山はベースボディに直に切られて形成されている。
【００３９】
第１の実施の形態では、ベースボディ１全体の材料は、物理的な水受けを形成する。水受け内には物理的に結合した水がある。ベースボディの材料は、上記親水性の材料である。特に有利には、材料は、上記接着・結合剤と協働する。
【００４０】
図３，４には、本発明に係る固定エレメントの第２の実施の形態が記載されている。第１の実施の形態のように、第２の実施の形態の円形のベースボディ１も、接着・結合剤の注入のための中央の注入開口２を有している。
【００４１】
第１の実施の形態とは異なり、ベースボディ１全体の材料が、本発明の意図における水受けを形成することはない。その代わりに、円形ディスク状の水受け挿入体６が設けられている。水受け挿入体６は切欠き４内挿入されている。切欠き４は図３では下方に位置するベースボディ１の背面３に設けられている。従って切欠き４の一部分は、水受け挿入体６によって塞がれている。切欠き４の残っている部分に、注入開口２を通じて注入可能な接着・結合剤が到達することができる。別体の水受け挿入体６の材料は、物理的な水受けを形成する。水受け内には物理的に結合した水がある。
【００４２】
自体公知の形式において余分な接着・結合剤は、図示の実施の形態では３つの上昇開口５を通って流出することになっている。更にこれと同様に自体公知の形式において、ベースボディ１に３つの貫通部７が設けられている。これらの貫通部７を通って接着・結合剤の硬化時に発生するガスは、水受け挿入体６がガス透過性である限りは流出することができる。択一的な実施の形態では、上昇開口は注入開口が中央に配置されていない場合でも考慮可能である。ベースボディ１には単に１つの貫通部７だけが設けられていてもよい。
【００４３】
ベースボディ１及び水受け挿入体６の材料は、冒頭で述べた親水性の材料である。親水性の材料は、硬化時間の最大限の減少を考慮して、特に有利には接着・結合剤として機能するシリコーンシール剤と協働する。複合材料として、例えばＤｕ Ｐｏｎｔ社の、商品名ＣＯＲＩＡＮ（Ｒ）（６７％の三水酸化アルミニウムを有するアクリル樹脂；弾性係数：１０ＧＰａ；曲げ剛性：９０ＭＰａ）、及びＳｐｅｋｔｒａ社、Ｋｅｒｍａｇ社の商品名ＶＡＲＩＣＯＲ（Ｒ）（６８％の三水酸化アルミニウムを備えたアクリル樹脂；弾性係数：１０ＧＰａ；曲げ剛性：５０ＭＰａ）で販売されている複合材料を挙げることができる。接着・結合剤として、例えばＨｅｎｋｅｌ  ＫＧａＡ社の商品名Ｔｅｒｏｓｔａｔ（Ｒ）−ＭＳ  ９８３０で販売されているシール剤を挙げることができる。
【００４４】
ベースボディ１もしくは水受け挿入体６から水を放出し、接着・結合剤にその硬化のために提供する、種々異なる機構が考慮可能である。例えば一般的に吸着という概念で捉えられ、当業者には公知である工程である。以下に例えば考慮可能な幾つかの機構を説明する。
【００４５】
ベースボディ１又は水受け挿入体６において化学的に結合した水は、接着・結合剤の成分との化学的な反応によりベースボディから脱離することができる。このことは、ベースボディ１もしくは水受け挿入体６の部分的な破壊につながる。ベースボディが、例えば三水酸化アルミニウムを含有する材料、Ｃｏｒｉａｎ（Ｒ）又はＶａｒｉｃｏｒ（Ｒ）から成っていると、三水酸化アルミニウムの化学的な反応が考慮可能である。この反応において水が放出される。三水酸化アルミニウムは、例えばプロトン酸と反応し、この際、水とイオン性のアルミニウム化合物が発生する。硬化時にプロトン酸を放出する接着・結合剤の使用時には、プロトン酸は三水酸化アルミニウムと反応する。この場合、水が形成され、水はまた接着・結合剤の硬化のために提供される。プロトン酸として、例えば酢酸が挙げられる。酢酸は、アセテート系の形式で接着・結合剤から放出される。最初の硬化反応に必要な水は、例えばベースボディ１もしくは水受け挿入体６の表面に物理吸着により結合した水により提供される。
【００４６】
図３，４に記載された実施の形態では、ベースボディ１にはちょうど１つの切欠きが設けられている。切欠き内に水受け挿入体６を、接着・結合剤が硬化のために水受け挿入体からの湿分を獲得できるように収納可能である。択一的には、ベースボディ１の背面３には、それぞれディスク形、直方体形又は立法体形の水受け挿入体６を収容するための複数の比較的小さな切欠きを形成することが考慮可能である。複数の化学的な水受け挿入体６は、水硬化性の接着・結合剤の硬化時に解放される化合物、例えば酢酸、アルコール等と、水を放出しながら反応することができる材料から成り得る。既に上述したように、この場合に発生する水は、接着・結合剤の更なる硬化のために提供される。唯一の水受け挿入体６しか設けられていない場合には、適切な材料を当然ながら選択することもできる。
【００４７】
ベースボディ１又は水受け挿入体６が物理的な水受けである場合、接着・結合剤の硬化時に必要な水は、ベースボディのキャビティ内で物理的に結合した水の吸着により提供される。キャビティ内では、蒸気状でキャビティ内にある吸着された水と脱着された水との平衡が形成される。こうして水分子はベースボディ１もしくは水受け挿入体６と、接着・結合剤との接触面に接着・結合剤との反応により使い尽くされ、ベースボディのキャビティ内の平衡は乱される。平衡が再び形成されるまで、脱着により新たに水分子は蒸気相に移行する。これによりベースボディ１もしくは水受け挿入体６と接着・結合剤との接触面に、接着・結合剤の硬化のために水分子が提供される。
【００４８】
蒸気相における水分子だけが接着・結合剤の硬化のために提供されるだけでなく、更に吸着された水分子も提供される。水分子は相互作用によってのみベースボディの表面に保持されるので、吸着された水分子は固定した結合個所を表面に有しておらず、且つ水分子は吸着された個所に留まるのではなく、表面に沿って自由に運動する。これは運動性（Ｍｏｂｉｌｉｔａｅｔ）である。運動性により、ベースボディ１もしくは水受け挿入体１と接着・結合剤との接触面において使用される水分子を追加で供給することができる。従って他の水分子が接着・結合剤の硬化反応のために、ベースボディ１もしくは水受け挿入体６と接着・結合剤との間の接触面に提供される。
【００４９】
化学吸着時に吸着された水はベースボディの表面への化学的な結合にもかかわらず、大抵表面に沿って運動できるので、物理吸着のように化学吸着時にも、ベースボディ１もしくは水受け挿入体６と接着・結合剤との接触面への水搬送が可能である。
【符号の説明】
【００５０】
１  ベースボディ、  ２  充填開口、  ３  ベースボディの背面、  ４  切欠き、  ５  上昇開口、  ６  水受け挿入体、  ７  貫通部
【図１】
2010043739.tif 000003
【図２】
2010043739.tif 000004
【図３】
2010043739.tif 000005
【図４】
2010043739.tif 000006